(57)【要約】【課題】クリーニング装置作業が容易なクリーニング装置を提供する。【解決手段】本発明のクリーニング装置（１）は、カメラ（１００）内におけるＣＣＤ（１０６）又はＣＣＤ（１０６）の被写体側に配置された光学部材（１０５）の一面（１０５ａ）に付着した異物（１５）を除去するクリーニング装置（１，２１，３１）であって、前記一面（１０５ａ）に接触させて前記一面（１０５ａ）の異物（１５）を移し取る粘着面（２ａ，３２ａ）を有する粘着部材（２，３２）と、接触後に前記粘着面（２ａ，３２ａ）を前記一面（１０５ａ）から引き離す際に、その端部から引き離す剥離機構（４，３５）と、を備える。【選択図】図１
2008304847.tif 000002
【特許請求の範囲】
【請求項１】
カメラ内における撮像素子又は撮像素子の被写体側に配置された光学部材の一面に付着した異物を除去するクリーニング装置であって、
前記一面に接触させて前記一面の異物を移し取る粘着面を有する粘着部材と、
接触後に前記粘着面を前記一面から引き離す際に、その端部から引き離す剥離機構と、
を備えることを特徴とするクリーニング装置。
【請求項２】
請求項１に記載のクリーニング装置であって、
前記粘着面が、前記一面と接触する際に非押圧状態にて前記一面と全面で接触する平坦な面であることを特徴とするクリーニング装置。
【請求項３】
請求項１又は２に記載のクリーニング装置であって、
前記粘着部材が、前記粘着部材よりも剛性の高い保持台に取り付けられていることを特徴とするクリーニング装置。
【請求項４】
請求項３に記載のクリーニング装置であって、
前記剥離機構は、粘着面を前記一面から引き離す際に、前記粘着面と前記一面とが非平行となるように案内することを特徴とするクリーニング装置。
【請求項５】
請求項４に記載のクリーニング装置であって、
前記剥離機構が、前記保持台の端部を回転可能に支持する支持部材を有することを特徴とするクリーニング装置。
【請求項６】
請求項５に記載のクリーニング装置であって、
前記支持部材が、前記保持台側に設けられた押圧部と、該押圧部から前記保持台とは反対方向に延びる延在部とを備え、
前記延在部の延びる方向に対して前記粘着面を直角にしたときに、前記押圧部が、前記保持台における前記粘着部材が取り付けられている面と反対側の表面と接すると共に、該表面において前記支持部材によって回転可能に支持された側から他方の側に向かい、その方向における中心を通って延びる押圧面を有することを特徴とするクリーニング装置。
【請求項７】
請求項６に記載のクリーニング装置であって、
前記押圧面と前記保持台の前記表面とで形成される角度の開きを抑制する回転抑制部材を備えることを特徴とするクリーニング装置。
【請求項８】
請求項７に記載のクリーニング装置であって、
前記回転抑制部材が、前記保持台の前記端部側の側面から延びる突起部を有し、前記保持台が前記押圧部に対して回転して前記押圧面と前記保持台の前記表面とで形成される角度が一定の角度になったときに、前記突起部が前記押圧部の側面と当接し、前記保持台の前記押圧部に対する回転を制限することを特徴とするクリーニング装置。
【請求項９】
請求項７又は８に記載のクリーニング装置であって、
前記回転抑制部材が、前記押圧面と前記保持台の前記表面とが近づく方向に付勢する付勢部材を有することを特徴とするクリーニング装置。
【請求項１０】
請求項１又は２に記載のクリーニング装置であって、
前記粘着部材が、該粘着部材よりも剛性の高い保持台に貼着され、
前記剥離機構が、前記粘着部材を前記保持台に対して前記端部側を固定状態かつ他方の側を非固定状態として固定する固定部を有することを特徴とするクリーニング装置。
【請求項１１】
請求項１０に記載のクリーニング装置であって、
前記剥離機構が、前記保持台の中央部から前記粘着部材と反対方向に延びる支持部を有することを特徴とするクリーニング装置。
【発明の詳細な説明】
【技術分野】
【０００１】
本発明は、カメラ内における撮像素子又は撮像素子の被写体側に配置された光学部材の一面に付着した異物を除去するクリーニング装置に関するものである。
【背景技術】
【０００２】
従来、ＣＣＤ（ｃｈａｒｇｅ−ｃｏｕｐｌｅｄ  ｄｅｖｉｃｅ）等の撮像素子の被写体側に配置されたＬＰＦ（ｌｏｗ−ｐａｓｓ  ｆｉｌｔｅｒ）等の光学部材の一面に付着した異物を除去するクリーニング装置として、棒状の支持部と、その支持部の先端に取り付けられた粘着部材とを有するクリーニング装置がある。このクリーニング装置は、カメラのレンズマウントからカメラ内部に挿入され、ＬＰＦ等の光学部材の表面にその粘着部材の粘着面を粘着させ、その後、剥離させることにより、光学部材の表面に付着している異物をその表面から取り除くものである（例えば、特許文献１参照）。
【特許文献１】特開２００６−１７３６７４号公報
【発明の開示】
【発明が解決しようとする課題】
【０００３】
しかし、粘着部材の粘着面の面積が小さい場合、光学部材の全面を清掃するためには、粘着及び剥離を複数回繰り返さなければならない。一方、粘着面積を大きくすると、粘着力が大きくなり、剥離が困難となる。
【０００４】
本発明の課題は、クリーニング装置作業が容易なクリーニング装置を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、カメラ（１００）内における撮像素子（１０６）又は撮像素子（１０６）の被写体側に配置された光学部材（１０５）の一面（１０５ａ）に付着した異物（１５）を除去するクリーニング装置（１，２１，３１）であって、前記一面（１０５ａ）に接触させて前記一面（１０５ａ）の異物（１５）を移し取る粘着面（２ａ，３２ａ）を有する粘着部材（２，３２）と、接触後に前記粘着面（２ａ，３２ａ）を前記一面（１０５ａ）から引き離す際に、その端部から引き離す剥離機構（４，３５）と、を備えることを特徴とするクリーニング装置（１，２１，３１）である。
請求項２に記載の発明は、請求項１に記載のクリーニング装置（１，２１，３１）であって、前記粘着面（２ａ，３２ａ）が、前記一面（１０５ａ）と接触する際に非押圧状態にて前記一面（１０５ａ）と全面で接触する平坦な面であることを特徴とするクリーニング装置（１，２１，３１）である。
請求項３に記載の発明は、請求項１又は２に記載のクリーニング装置（１，２１，３１）であって、前記粘着部材（２，３２）が、前記粘着部材（２，３２）よりも剛性の高い保持台（３，３３）に取り付けられていることを特徴とするクリーニング装置（１，２１，３１）である。
請求項４に記載の発明は、請求項３に記載のクリーニング装置（１，２１）であって、前記剥離機構（４）は、粘着面（２ａ）を前記一面（１０５ａ）から引き離す際に、前記粘着面（２ａ）と前記一面（１０５ａ）とが非平行となるように案内することを特徴とするクリーニング装置（１，２１）である。
請求項５に記載の発明は、請求項４に記載のクリーニング装置（１，２１）であって、前記剥離機構（４）が、前記保持台（３）の端部を回転可能に支持する支持部材（４）を有することを特徴とするクリーニング装置（１，２１）である。
請求項６に記載の発明は、請求項５に記載のクリーニング装置（１，２１）であって、前記支持部材（４）が、前記保持台（３，３３）側に設けられた押圧部（８）と、該押圧部（８）から前記保持台（３，３３）とは反対方向に延びる延在部（９）とを備え、前記延在部（９）の延びる方向に対して前記粘着面（２ａ）を直角にしたときに、前記押圧部（８）が、前記保持台（３，３３）における前記粘着部材（２）が取り付けられている面（３ａ）と反対側の表面（３ｂ）と接すると共に、該表面（３ｂ）において前記支持部材（４）によって回転可能に支持された側から他方の側に向かい、その方向における中心を通って延びる押圧面（８ｃ）を有することを特徴とするクリーニング装置（１，２１）である。
請求項７に記載の発明は、請求項６に記載のクリーニング装置（１，２１）であって、前記押圧面（８ｃ）と前記保持台（３）の前記表面（３ｂ）とで形成される角度の開きを抑制する回転抑制部材（１２，２２）を備えることを特徴とするクリーニング装置（１，２１）である。
請求項８に記載の発明は、請求項７に記載のクリーニング装置（１）であって、前記回転抑制部材（１２）が、前記保持台（３）の前記端部側の側面から延びる突起部（１２ｂ）を有し、前記保持台（３）が前記押圧部（８）に対して回転して前記押圧面（８ｃ）と前記保持台（３）の前記表面（３ｂ）とで形成される角度が一定の角度になったときに、前記突起部（１２ｂ）が前記押圧部（８）の側面と当接し前記保持台（３）の前記押圧部（８）に対する回転を制限することを特徴とするクリーニング装置（１）である。
請求項９に記載の発明は、請求項７又は８に記載のクリーニング装置（２１）であって、前記回転抑制部材（２２）が、前記押圧面（８ｃ）と前記保持台（３）の前記表面（３ｂ）とが近づく方向に付勢する付勢部材（２２）を有することを特徴とするクリーニング装置（２１）である。
請求項１０に記載の発明は、請求項１又は２に記載のクリーニング装置（３１）であって、前記粘着部材（３２）が、該粘着部材（３２）よりも剛性の高い保持台（３３）に貼着され、前記剥離機構（４）が、前記粘着部材（３２）を前記保持台（３３）に対して前記端部側を固定状態かつ他方の側を非固定状態として固定する固定部（３５）を有することを特徴とするクリーニング装置（３１）である。
請求項１１に記載の発明は、請求項１０に記載のクリーニング装置（３１）であって、前記剥離機構（４）が、前記保持台（３３）の中央部から前記粘着部材（３２）と反対方向に延びる支持部（３４）を有することを特徴とするクリーニング装置である（３１）。
【発明の効果】
【０００７】
本発明によれば、クリーニング装置作業が容易なクリーニング装置を提供することができる。
【発明を実施するための最良の形態】
【０００８】
（第１実施形態）
以下、図面等を参照して、本発明の第１実施形態について説明する。なお、以下に示す各図には、説明と理解を容易にするために、ｘｙｚ直交座標系を設けた。
【０００９】
図１は本発明の第１実施形態のクリーニング装置１の斜視図である。図２はクリーニング装置１の使用状態を示した図であり、（ａ）はクリーニング装置１をＬＰＦ１０５の表面１０５ａに押し付けた状態、（ｂ）はＬＰＦ１０５の表面１０５ａから引き剥がす状態を示した図である。図示するように、クリーニング装置１は、粘着面２ａを有する粘着部材２と、粘着部材２を保持する保持台３と、保持台３が回転可能に取り付けられている剥離部材４とを備える。
【００１０】
粘着部材２は、粘着性を有する直方体の弾性部材であって、材料としてはウレタン、シリコン、ブチルゴム等のゴム材料が好ましい。粘着部材２の硬度は、低いほうが粘着力は高いが、後述するように異物を付着させた後にクリーニングシートに貼り付けて異物を取り除く場合、クリーニングシートとしてより低硬度のものを使用する必要がある。よって粘着部材２は、硬度３０〜５０度（Ｈｓ３０〜５０）が好ましく、これに限定されるものではないが、本実施形態では、硬度３０度のウレタンゴムを使用する。
【００１１】
保持台３は、粘着部材２と、粘着面２ａと平行な方向（ｘｙ平面）における断面形状が同形であって、厚み（ｚ方向の幅）が異なる、粘着部材２よりも剛性の高い材料で製造されている。保持台３の一面３ａ（ｚマイナス側面）には、粘着部材２が、全面にわたって接着剤や両面テープ等によって貼着されている。また、保持台３におけるその粘着部材２が貼着された粘着部材側面３ａと反対側の表面３ｂ（ｚプラス側面）の長手方向における両端には、粘着部材２が貼着された側と反対側（ｚプラス側）に突き出した軸支部６が形成されている。軸支部６は所定の厚みを有する板状部分で、突き出した先が半円形を有し、その円の中心に孔６ａが設けられている。
【００１２】
剥離部材４は、保持台３側に設けられた押圧部８と、押圧部８から延びる延在部９とを備える。押圧部８における軸支部６と平行な面（ｙｚ平面）に沿った断面は、直角三角形の直角以外の角部を直線に沿って切り取り、直角の角部を所定の径に沿って丸くした略五角形形状である。また、粘着面２ａと平行な面（ｘｙ平面）に沿った断面は矩形である。丸くなった角部の径の中心には、長手方向（ｘ方向）に沿って貫通孔８ａが設けられている。その貫通孔８ａと、上述した保持台３の軸支部６の孔６ａとを貫通して軸棒１０が挿入され、保持台３が押圧部８に対して回転可能となっている。また、延在部９は、押圧部８の長手方向の中央部であって、ｚ方向の端面８ｂより延びる円柱部材である。
【００１３】
押圧部８は、更に保持台３側に押圧面８ｃを有する。押圧面８ｃは、延在部９の延びる方向に対して粘着面２ａを直角にしたときに（図１及び図２（ａ）の状態）、保持台３の表面３ｂと接すると共に、その表面３ｂにおいて軸棒１０によって回転可能に支持された側（ｙマイナス側）から他方の側（ｙプラス側）に向かい、その方向における表面３ｂの中心Ｃを通って延びている。そして延在部９を粘着面２ａ側(図２（ａ）において矢印Ｆの方向)に押すことにより押圧面８ｃが保持台３を押圧するようになっている。
【００１４】
また、図２に示すように、保持台３のｙマイナス側の側面には回転抑制部材１２が接合されている。回転抑制部材１２は、矩形の板材を長手方向に沿って折り曲げて形成されたもので、その折り曲げた一方の部分１２ａの側面が保持台３の側面に接合されている。また、折り曲げた他方の部分１２ｂは押圧部８の側面から離れる方向に延びている。そして図２（ｂ）に示すように保持台３が押圧部８に対して回転し、押圧面８ｃと保持台３の表面３ｂとで形成される角度が一定の角度αになると、折り曲げた他方の部分１２ｂの側面が押圧部８の側面と当接するようになっている。
【００１５】
図３は本実施形態のクリーニング装置１をカメラ１００に挿入した状態を示した図である。カメラ１００は、レンズ交換可能な一眼レフ方式のデジタルカメラである。カメラ１００はそのボディ内において、被写体からの撮影光をファインダ光学系へと導くメインミラー１０１を備える。メインミラー１０１は、ファインダ１０２における観察用の図中一点鎖線で示すように撮影光路に対して斜めに配置された位置Ｐと、レリーズ動作や本実施形態のクリーニング装置１により清掃を行う際の、実線で示すように撮影光路から退避した位置Ｑとの間において移動可能になっている。
【００１６】
メインミラー１０１の背面側撮影光路上には、被写体側よりシャッタ１０３、ＬＰＦ１０５及びＣＣＤ１０６が順に設けられている。ＬＰＦ１０５はモアレを低減するための光学部材であり、ＣＣＤ１０６は、被写体光を電気信号に変換する光−電気変換素子である。ＣＣＤ１０６とＬＰＦ１０５は一体として構成され、防塵構造がとられており、ユニットとして構成されている。更にカメラ１００は、交換レンズが装着されるレンズマウント１０７を備える。
【００１７】
次に、クリーニング装置１の使用方法について説明する。まず、交換レンズが装着されている場合、その交換レンズをカメラ１００より取り外し、レンズマウント１０７を開口させる。そしてメインミラー１０１を、例えば図示しない操作部を操作することにより撮影光路より退避させて図３におけるＱの位置に移動させるとともに、シャッタ１０３を開放する。
【００１８】
レンズマウント１０７よりクリーニング装置１を、その延在部９を持って、粘着面２ａ側よりカメラ１００内部に挿入する。そして、図２（ａ）に示すように粘着面２ａをＬＰＦ１０５の表面１０５ａに粘着させる。この際、粘着面２ａは平坦な面であるため、ＬＰＦ１０５の表面１０５ａと接触する際に非押圧状態にて表面１０５ａと全面で接触する。この挿入の際、保持台３が重力により軸棒１０を中心として、その保持台３の表面３ｂが押圧部８の押圧面８ｃから離れる方向に開く。しかし、第１実施形態によると、回転抑制部材１２が設けられているため、この保持台３の表面３ｂと押圧部８の押圧面８ｃとの角度が、所定の角度αに開いたとき、回転抑制部材１２の部分１２ｂの側面が押圧部８の側面と当接し、それ以上角度が開かないようになる。よって、保持台３の表面３ｂと押圧部８の押圧面８ｃとの間の角度が過度に開くことがない。
【００１９】
粘着部材２の粘着面２ａをＬＰＦ１０５の表面１０５ａに粘着した後、延在部９をＬＰＦ１０５に向かって押し付けると（図２（ａ）における矢印Ｆの方向）、押圧部８の押圧面８ｃが保持台３の表面３ｂを押圧する。この際、押圧面８ｃは保持台３の表面３ｂの中心Ｃを通っているため、保持台３を略均一に押圧することができる。また、粘着面２ａも平坦であるため、粘着面２ａは略均一な圧力でＬＰＦ１０５に押し付けられる。本実施形態では、粘着部材２として硬度３０度のウレタンゴムを使用しており、その粘着力は比較的高く、図２（ａ）に示すようにＬＰＦ１０５の表面１０５ａに異物１５が付着している場合、異物１５は粘着面２ａに転写される。
【００２０】
次に、図２（ｂ）に示すように延在部９をＬＰＦ１０５から離れる方向(矢印Ｆ’の方向)に引くと、保持台３の端部の軸棒１０により回転可能に支持されている箇所、すなわち保持台３の端部が引っ張られるため、保持台３が押圧部８に対して軸棒１０を中心として回転し、これにより粘着面２ａとＬＰＦ１０５の表面１０５ａとが非平行となり、粘着面２ａが端部より持ち上げられる。
【００２１】
そして、クリーニング装置１をレンズマウント１０７より取り出す。この際に、クリーニング装置１は、図３においてｚプラス方向に移動してカメラ１００から取り出されるが、回転抑制部材１２の側部１２ｂの側面が押圧部８の側面と当接するため保持台３の表面３ｂが押圧部８の押圧面８ｃが所定の角度α以上に開かない。
【００２２】
カメラ１００よりクリーニング装置１を取り出した後、クリーニング装置１の粘着面２ａは、別途用意されたクリーニングシート（図示せず）に粘着される。このクリーニングシートは、粘着部材２よりも硬度が低い（粘着力が高い）材質で製造されたシートである。このクリーニングシートにクリーニング装置１の粘着面２ａを粘着させると、粘着面２ａに粘着された異物１５はクリーニングシートに移され、粘着面２ａは異物の付着していない清浄な状態となり、再度ＬＰＦ１０５のクリーニングが可能となる。
【００２３】
（第２実施形態）
図４は本発明の第２実施形態のクリーニング装置２１を示した図であり、（ａ）はクリーニング装置をＬＰＦ表面に押し付けた状態、（ｂ）はＬＰＦから引き剥がす状態、（ｃ）はＬＰＦから引き剥がした後の状態を示した図である。図中、第１実施形態と同様の部分には同一の符号を付し、その説明を省略する。第１実施形態と異なる点は、回転抑制部材が、板状部材を折り曲げたものではなく、バネ部材２２である点である。バネ部材２２は、支持部３における軸支部６が設けられた部分の内部、及び押圧部８の軸支部側側面にそれぞれ凹部（図示せず）を設け、この凹部にバネ部材２２をはめ込み、軸棒１０を挿通させて押圧部８と軸支部６との間に固定されている。
【００２４】
第２実施形態では、バネ部材２２により、保持台３の表面３ｂは押圧部８の押圧面８ｃと接する方向に付勢されている。したがって、クリーニング装置２１をカメラ１００内部に挿入及び取り出す際に、粘着部材２が下（ｚマイナス方向）になるようにしても、クリーニング装置２１は、図４（ｃ）に示すように、保持台３の表面３ｂが押圧部８の押圧面８ｃと接したままの状態で維持されている。したがって挿入及び取り出す際に、保持台３表面３ｂと押圧面８ｃとが開くことがなく、扱い易い。
【００２５】
粘着面２ａをＬＰＦ１０５の表面１０５ａに接着させ（図４（ａ））、引き剥がす際（図４（ｂ））には、保持台３の端部の軸棒１０により回転可能に支持されている部分が図４の矢印Ｆ´の方向に引っ張られる。そうするとバネ部材２２がチャージされながら保持台３が押圧部８に対して軸棒１０を中心として回転し、これにより粘着面２ａとＬＰＦ１０５の表面１０５ａとが非平行となり、粘着面２ａがその端部より持ち上げられる。そして更に矢印Ｆ´の方向に持ち上げると（図４（ｃ））、粘着面２ａがＬＰＦ１０５の表面１０５ａから完全に離れ、バネ部材２２により、保持台３の表面３ｂと押圧部８の押圧面８ｃとが接するように保持される。
【００２６】
（第３実施形態）
図５は本発明の第３実施形態のクリーニング装置３１の斜視図である。図示するように、クリーニング装置３１は、粘着面３２ａを有する粘着部材３２と、粘着部材３２を保持する保持台３３と、保持台３３の中央部に固定された円柱状の支持部材３４とを備える。
【００２７】
粘着部材３２は、第１実施形態と同様に弾性部材であり、これに限定されるものではないが、本実施形態では硬度３０度のウレタンゴムを使用する。保持台３３の形状は、粘着部材３２と厚み（ｚ方向の幅）が異なり、粘着面３２ａと平行な面（ｙｚ平面）に沿った断面が粘着部材３２と同形の直方体形状である。粘着部材３２は、保持台の一面３３ａに接着されている。ただし、全面において接着されているのではなく、粘着部材３２は、一面３３ａを長手方向（ｘ方向）に延びる直線に沿って略２分した場合の一方にのみ接着部３５により接着されている。また、その２分した他方に接着部３５は存在せず、粘着部材３２は、保持台３３のその一面３３ａに接着されていない。
【００２８】
次に、第３実施形態のクリーニング装置３１の使用方法について説明する。図６はクリーニング装置３１の使用状態を示した図であり、（ａ）はクリーニング装置をＬＰＦ１０５の表面１０５ａに押し付けた状態、（ｂ）はＬＰＦ１０５の表面１０５ａから引き剥がす状態を示した図である。カメラ１００に挿入してＬＰＦ１０５の表面１０５ａに粘着させる手順については第１実施形態と同様であり、カメラ１００にクリーニング装置３１を挿入し、粘着部材３２の粘着面３２ａをＬＰＦ１０５の表面１０５ａに粘着させる。
【００２９】
支持部３４をＬＰＦ１０５から離れる方向（図６（ｂ）において矢印Ｆで示す方向）に引くと、保持台３３も持ち上げられる。このとき、粘着部材３２の保持台３３に接着されている側が持ち上げられ、この側のみ、粘着面３２ａもＬＰＦ１０５の表面１０５ａから持ち上げられる。一方、粘着部材３２の保持台３３に接着されていない側は表面１０５ａに接した状態である。しかし、支持部３４を矢印Ｆの方向に引いていくに従い、粘着面３２ａの表面１０５ａから離れずに粘着している部分も徐々に離れていく。
【００３０】
以上、本実施形態によると、以下の効果を有する。
（１）第１〜第３実施形態によると、粘着面２ａ，３２ａをＬＰＦ１０５の表面１０５ａに接触させた後、その粘着面２ａ，３２ａをその端部から引き離す。このように粘着面２ａ，３２ａの全面を同時に引き剥がすのではなく、端部より徐々に引き剥がすことにより、全面を同時に引き剥がす場合と比べて少ない力で引き剥がすことができる。特に、粘着面２ａ，３２ａの面積が大きくなると、粘着面２ａ，３２ａとＬＰＦ１０５の表面１０５ａとが互いに平行な状態で両者を引き剥がすのには大きな力が必要であるが、本実施形態によると、この場合も小さな力で引き剥がすことができる。さらに、２ａ，３２ａを引き剥がす際に、ＬＰＦ１０５にも過度の負担がかかることがない。
（２）第１〜第３実施形態によると、粘着面２ａ，３２ａが非押圧状態にてＬＰＦ１０５の表面１０５ａと全面で接触する平坦な面である。このため、粘着面２ａ，３２ａは略均一な圧力でＬＰＦ１０５の表面１０５ａと接触することができる。ゆえに、ＬＰＦ１０５の表面１０５ａに付着した異物を均等に除去することができる。
（３）第１及び第２実施形態によると、クリーニング装置１は粘着面２ａの中心から偏心した位置において延在部９にて支持されている。しかし延在部９の保持台側には押圧部８が設けられ、押圧部８の押圧面８ｃは保持台３の表面３ｂの中心Ｃを通っている。このため、保持台３を略均一に押圧することができる。
（４）第１実施形態によると、回転抑制部材１２が設けられ、保持台３の表面３ｂと押圧部８の押圧面８ｃとの間の角度が所定角度開いたときに、この回転制限部材の側部１２ｂの側面が押圧部８の側面と当接し、それ以上が開かないようにする。このため、保持台３の表面３ｂと押圧部８の押圧面８ｃとの間の角度が過度に開くことがなく、取り扱いが容易である。
（５）第２実施形態によると、バネ部材２２により、保持台３の表面３ｂは押圧部８の押圧面８ｃと接する方向に付勢されている。したがって、クリーニング装置１のカメラ１００内部への挿入及び取り出しの際に、保持台３の表面３ｂと押圧面８ｃとが開くことがなく、取り扱いが容易である。
（６）第３実施形態によると、粘着部材３２が、保持台３３に対してその端部側を固定状態かつ他方の側を非固定状態で接着されている。このような簡単な構造で（１）で記載した効果を達成することができる。
【００３１】
（変形形態）
以上、説明した実施形態に限定されることなく、種々の変形や変更が可能であって、それらも本発明の範囲内である。
（１）上記実施形態では、ＬＰＦの表面に付着している異物をクリーニングする場合について説明した。しかし、これに限らず、撮像素子の光学部材側に配置されているものであれば他の光学部材であってもよく、また撮像素子自体のカバーのクリーニングにも適用できる。
（２）上記実施形態では、粘着部材を保持台に固定したが、これに限らず、例えば剛性の低い粘着部材と、剛性の高い粘着部材とを二重成型し、保持台を使用しない構成としてもよい。また二重成型の場合において保持台を使用してもよい。
（３）回転制限部材は、上述の構成に限定されない。例えば保持台と回転制限部材を一体に製造することもでき、また回転制限部材を押圧部側から保持台側に延びる構成としてもよい。
なお、第１実施形態〜第３実施形態及び変形形態は、適宜組み合わせて用いることもできるが、詳細な説明は省略する。また、本発明は以上説明した各実施形態によって限定されることはない。
【図面の簡単な説明】
【００３２】
【図１】本発明の第１実施形態のクリーニング装置の斜視図である。
【図２】第１実施形態のクリーニング装置の使用状態を示した図であり、（ａ）はクリーニング装置をＬＰＦ表面に押し付けた状態、（ｂ）はＬＰＦから引き剥がす状態を示した図である。
【図３】第２実施形態のクリーニング装置をカメラに挿入した状態を示した図である。
【図４】本発明の第２実施形態のクリーニング装置を示した図であり、（ａ）はクリーニング装置をＬＰＦ表面に押し付けた状態、（ｂ）はＬＰＦから引き剥がす状態を示した図である。
【図５】本発明の第３実施形態のクリーニング装置の斜視図である。
【図６】クリーニング装置の使用状態を示した図であり、（ａ）はクリーニング装置をＬＰＦ表面に押し付けた状態、（ｂ）はＬＰＦから引き剥がす状態を示した図である。
【符号の説明】
【００３３】
１，２１，３１：クリーニング装置、２，３２：粘着部材、２ａ，３２ａ：粘着面、３，３３：保持台、８：押圧部、９：延在部、４：剥離機構、１２：回転制限部材、１２ｂ：折り曲げた他方の部分、１５：異物、２２：バネ部材、３５：接着部、１００：カメラ、１０５：光学部材、１０５ａ：表面
【図１】
2008304847.tif 000003
【図２】
2008304847.tif 000004
【図３】
2008304847.tif 000005
【図４】
2008304847.tif 000006
【図５】
2008304847.tif 000007
【図６】
2008304847.tif 000008